(57)【特許請求の範囲】
【請求項１】
適宜な設置場所に配置される平板状基台の中央部上面に脱着可能に立設して位置決め固定した電解水生成本体と、該電解水生成本体の両側にて前記平板状基台の上面に脱着可能に立設して配置したアルカリ性水タンクと酸性水タンクを備えて、前記電解水生成本体の内部に設けた電解槽から同電解槽内に隔膜により区画形成した電極室にて生成されたアルカリ性水と酸性水をそれぞれ前記アルカリ性水タンクと酸性水タンクに導出するようにしたことを特徴とする電解水生成装置。
【請求項２】
前記アルカリ性水タンクと酸性水タンクを前記電解水生成本体の両側面に脱着可能に結合したことを特徴とする請求項1に記載の電解水生成装置。
【発明の詳細な説明】
【０００１】
【発明の属する技術分野】
本発明は、水を電気分解してアルカリ性水と酸性水を生成する電解水生成装置に関する。
【０００２】
【従来の技術】
従来から電解水生成装置として、内部に供給される水を有隔膜電解してアルカリ性水と酸性水を生成する電解槽を含む電解水生成本体と、同電解水生成本体にて生成されたアルカリ性水を貯溜するアルカリ性水タンクと、前記電解水生成本体にて生成された酸性水を貯溜する酸性水タンクを、外箱内に組み付けて一体化してなるもの（システム電解水生成装置）がある。
【０００３】
【発明が解決しようとする課題】
ところで、上記したシステム電解水生成装置は、電解水生成本体、アルカリ性水タンク及び酸性水タンクを外箱内に予め組み込んだ状態で搬入されるものであるため、設置場所における施工工事が少なくて設置性が良いものの、電解水の生成能力あるいは電解水の貯溜量が大きくなるほど大型化して、その搬入時において既設の搬入口から入らないことがあり、搬入口の大きさに対応した容量の機種を選定せざるを得ないことがある。
【０００４】
本発明は、上記の問題に対処するため、適宜な設置場所に配置される平板状基台の中央部上面に脱着可能に立設して位置決め固定した電解水生成本体と、該電解水生成本体の両側にて前記平板状基台の上面に脱着可能に立設して配置したアルカリ性水タンクと酸性水タンクを備えて、前記電解水生成本体の内部に設けた電解槽から同電解槽内に隔膜により区画形成した電極室にて生成されたアルカリ性水と酸性水をそれぞれ前記アルカリ性水タンクと酸性水タンクに導出するようにしたことを特徴とする電解水生成装置を提供するものである。
【０００５】
【発明の作用効果】
本発明による電解水生成装置は、電解水生成本体、アルカリ性水タンク及び酸性水タンクを平板状基台の上面に脱着可能に組付けて構成されているので、電解水生成本体と共にアルカリ性水タンクと酸性水タンクを基台上に組付けた状態にて所望の配置場所に搬入できる場合には、従来のシステム電解水生成装置と同様に設置場所における施工工事が少なくて（設置場所での組立が不要で）設置性が良いという効果が得られ、電解水生成本体と共にアルカリ性水タンクと酸性水タンクを基台上に組付けた状態にて所望の設置場所に搬入できない場合には、電解水生成本体、アルカリ性水タンク及び酸性水タンクをそれぞれ基台から取り外せば、個々に搬送できて作業者の負担を軽減できることは勿論のこと、小さな搬入口からも容易に搬入することができる。したがって、搬入口の大きさによって容量の大きさが制限されていた従来のシステム電解水生成装置に比して、大容量の装置を選択することが可能である。
【０００７】
【発明の実施の形態】
以下に本発明の一実施形態を図面に基づいて説明する。図１〜図４に示した本発明による電解水生成装置は、ベース１０と、同ベース１０上に脱着可能に組み付けられた電解水生成本体Ａ、アルカリ性水タンク７０及び酸性水タンク８０を備えている。
【０００８】
ベース１０は、平面視にて横長長方形の平板状基台１１と同基台１１の底面に組み付けられた４本の脚１２によって構成されていて、基台１１の中央部には電解水生成本体Ａが、左方にはアルカリ性水タンク７０が、右方には酸性水タンク８０がそれぞれ脱着可能に組み付けられるようになっている。
【０００９】
電解水生成本体Ａは、縦長の直方体形状をしたケース２０内に、有隔膜の電解槽３０と、電装部品を収容する電装箱４０と、濃塩水供給装置６０等を組み付けてなるもので、ケース２０底面にて基台１１の下方から脱着される前後左右４本のボルト１３を用いて基台１１に固定されるようになっている。
【００１０】
電解槽３０は、希塩水を電気分解してアルカリ性水と酸性水を生成するそれ自体周知のものであり、槽本体３１の内部は隔膜３２によって２つの電解室３３，３４に区画されていて、各電解室３３，３４には、直流電源装置（図示省略で電装箱４０内に収容されている）に接続された電極３５，３６がそれぞれ配設されている。これら両電極３５，３６への直流電源装置からの直流電圧の印加・停止及び正負電極切換は、制御装置（図示省略で電装箱４０内に収容されている）によって制御されるようになっている。また、槽本体３１には、各電解室３３，３４に対応して供給口３１ａ，３１ｂと導出口３１ｃ，３１ｄが槽本体３１の下部と上部にそれぞれ設けられていて、各供給口３１ａ，３１ｂには希塩水の供給管５１の分岐管５１ａ，５１ｂがそれぞれ接続されるとともに、各導出口３１ｃ，３１ｄには電解水の導出管５２，５３がそれぞれ接続されている。
【００１１】
希塩水の供給管５１は、中間部にて分岐管５１ａ，５１ｂに分岐され、各分岐管５１ａ，５１ｂにて各供給口３１ａ，３１ｂにそれぞれ接続されるとともに、他端が水道水の供給管５４に接続されている。水道水の供給管５４は、一端が水道管（図示省略）に接続され、他端が希塩水の供給管５１に接続されており、軟水器Ｍが介装されている。
【００１２】
電解水の導出管５２，５３は、一端が各導出口３１ｃ，３１ｄにそれぞれ接続されていて、他端が流路切換弁Ｖを介して導入管５５，５６に接続されており、各電解室３３，３４にて生成される電解水を導出するようになっている。流路切換弁Ｖは、酸・アルカリに耐える４ポート２位置切換バルブであって、制御装置からの信号に基づいて電動モータ（図示省略）が駆動することによってその位置が切り換えられるようになっている。導入管５５，５６は、一端がそれぞれアルカリ性水タンク７０の供給口７０ａと酸性水タンク８０の供給口８０ａに接続されていて、他端が流路切換弁Ｖを介して電解水の導出管５２，５３に接続されており、電解水の導出管５２，５３及び流路切換弁Ｖを通して導出されるアルカリ性水をアルカリ性水タンク７０に導入するとともに酸性水を酸性水タンク８０に導入するようになっている。
【００１３】
濃塩水供給装置６０は、濃塩水タンク６１と、同タンク６１に接続された濃塩水の供給管６２と、同供給管６２に介装された供給ポンプ６３から構成されている。濃塩水タンク６１は、内部に食塩（ケース２０の前面扉２１に設けられた食塩投入口２１ａから適宜補充される）と水道水を収容するようになっていて、食塩の上方にできるほぼ飽和状態の濃塩水が濃塩水の供給管６２に導かれるようになっている。濃塩水の供給管６２は、一端が濃塩水タンク６１に接続されるとともに、他端が水道水の供給管５４に接続されていて、供給ポンプ６３の作動（制御装置によって制御されている）によって濃塩水タンク６１内の濃塩水が水道水の供給管５４に供給混合され、水道水の供給管５４に接続された希塩水の供給管５１に所定濃度の希塩水が流れるようになっている。
【００１４】
アルカリ性水タンク７０は、電解槽３０にて生成されたアルカリ性水を貯溜するためのもので縦長の直方体形状をしており、基台１１の中央部に組み付けられるケース２０より左方に設けた前後一対のブラケット１４に脚部７０ｃが係合して位置決め固定されるとともに、図２及び図３に示したように、上部右側前後２ヶ所にてボルト７１を用いてケース２０に固定されるようになっている。また、アルカリ性水タンク７０の側部上方に設けた供給口７０ａには流路切換弁Ｖに接続された導入管５５が接続されるとともに、前面底部中央に設けられた導出口７０ｂには注出ポンプＰ１に接続された導出管７２が接続されている。注出ポンプＰ１は、ケース２０内に配設されており、その吐出口には注出管７３が接続されている。注出管７３は、一端が注出ポンプＰ１の吐出口に接続されるとともに、他端がアルカリ性水の使用箇所にて開口しており、注出ポンプＰ１の駆動によってアルカリ性水タンク７０内のアルカリ性水を注出するようになっている。なお、アルカリ性水タンク７０には、供給口７０ａの後方に排気口（図４に示した酸性水タンク８０の排気口８０ｄに対向するもの）が設けられていて、この排気口に接続される排気管（図示省略）を通してアルカリ性水タンク７０内にて発生する水素ガスが屋外の大気中に排気されるようになっている。
【００１５】
酸性水タンク８０は、電解槽３０にて生成された酸性水を貯溜するためのもので縦長の直方体形状をしており、基台１１の中央に組み付けられるケース２０より右方に設けた前後一対のブラケット１５に脚部８０ｃが係合して位置決め固定されるとともに、図２及び図３に示したように、上部左側前後２ヶ所にてボルト８１を用いてケース２０に固定されるようになっている。また、酸性水タンク８０の側部上方に設けた供給口８０ａには流路切換弁Ｖに接続された導入管５６が接続されるとともに、前面底部中央に設けられた導出口８０ｂには注出ポンプＰ２に接続された導出管８２が接続されている。注出ポンプＰ２は、ケース２０内に配設されており、その吐出口には注出管８３が接続されている。注出管８３は、一端が注出ポンプＰ２の吐出口に接続されるとともに、他端が酸性水の使用箇所にて開口しており、注出ポンプＰ２の駆動により酸性水タンク８０内の酸性水を注出するようになっている。なお、酸性水タンク８０には、供給口８０ａの後方に排気口８０ｄが設けられていて、この排気口８０ｄに接続される排気管（図示省略）を通して酸性水タンク８０内に発生する塩素ガスが屋外の大気中に排気されるようになっている。
【００１６】
また、各タンク７０，８０は、樹脂によって同一形状に成形されていて、供給口及び排気口に対応する左右の部位は薄肉とされており、アルカリ性水タンク７０として使用される場合には、右側に後加工で吸気口７０ａ及び排気口が設けられ、酸性水タンク８０として使用される場合には、左側に吸気口８０ａ及び排気口８０ｄが設けられるようになっている。
【００１７】
上記のように構成した本実施形態においては、電解水生成本体Ａのケース２０を４本のボルト１３を用いてベース１０の基台１１に固定し、アルカリ性水タンク７０及び酸性水タンク８０を各ブラケット１４，１５に係合して位置決め固定するとともに各ボルト７１，８１を用いてケース２０に固定するものであるため、これら電解水生成本体Ａ、アルカリ性水タンク７０及び酸性水タンク８０をベース１０上に組み付けた状態にて搬入できる場合には、従来のシステム電解水生成装置と同様に設置場所における施工工事が少なくて（設置場所での組立が不要で）設置性が良いという効果が得られる。また、例えば当該電解水生成装置の設置場所への搬入口が小さくて、電解水生成本体Ａ、アルカリ性水タンク７０及び酸性水タンク８０をベース１０上に組み付けた状態にて搬入できない場合には、電解水生成本体Ａと各タンク７０，８０を接続する各管を取り外すとともに、ケース２０と各タンク７０，８０を固定している各ボルト７１，８１を取り外した状態にて各タンク７０，８０を持ち上げて各ブラケット１４，１５から取り外し、次に、基台１１とケース２０を固定しているボルト１５を取り外してケース２０をベース１０から取り外せば、各タンク７０，８０、電解水生成本体Ａ及びベース１０を個々に搬送できて作業者の負担を軽減できることは勿論のこと、小さな搬入口からも容易に搬入することができる。したがって、搬入口の大きさによって容量の大きさが制限されていた従来のシステム電解水生成装置に比して、大容量の装置を選択することが可能である。
【００１８】
また、本実施形態においては、電解水生成本体Ａのケース２０、アルカリ性水タンク７０及び酸性水タンク８０をそれぞれ縦長の直方体形状としたため、生成能力・貯溜量が同一である非縦長形状の電解水生成本体、アルカリ性水タンク及び酸性水タンクからなる電解水生成装置に比して、設置面積を少なくすることができてスペースを有効に利用することができる。
【００１９】
上記実施形態においては、注出ポンプＰ１，Ｐ２を電解水生成本体Ａのケース２０内に配設して本発明を実施したが、この注出ポンプＰ１，Ｐ２の配設箇所は上記実施形態に限定されるものではなく、各タンク７０，８０にそれぞれ設けて本発明を実施することも可能である。
【００２０】
また、本実施形態においては、電解水生成本体Ａのケース２０、アルカリ性水タンク７０及び酸性水タンク８０をそれぞれ縦長の直方体形状として本発明を実施したが、これらを例えば縦長の円柱形状として実施し得ることは勿論のこと、その他の縦長形状として本発明を実施することも可能である。
【図面の簡単な説明】
【図１】  本発明による電解水生成装置を概略的に示した正面図である。
【図２】  本発明による電解水生成装置の正面図である。
【図３】  図２に示した電解水生成装置の平面図である。
【図４】  図２に示した電解水生成装置の側面図である。
【符号の説明】
１０…ベース、７０…アルカリ性水タンク、８０…酸性水タンク、Ａ…電解水生成本体。
【図１】
0004020508.tif 000002
【図２】
0004020508.tif 000003
【図３】
0004020508.tif 000004
【図４】
0004020508.tif 000005